(57)【特許請求の範囲】
【請求項１】
被検査体を装着脱自在に支持し、平面上のＸ軸、Ｙ軸移動及び回転が可能であり、電源を供給するためのフラットケーブル（ｆｌａｔ  ｃａｂｌｅ）を具備するステージユニットと、
前記ステージユニットの下側に配置されて、前記ステージユニットにセッティングされた前記被検査体に向けてＸ線を照射するＸ線管と、
前記ステージユニットの上側で片側へ旋回できるように配置され、前記被検査体を透過したＸ線を検出するディテクタと、を含み、
前記Ｘ線管は、前記ディテクタの旋回に対して同期旋回する一方で、前記Ｘ線管のＸ−ｒａｙ放出面が前記ステージユニットと平行に設定され、
前記ステージユニットは中空軸を備え、前記中空軸を回転自在に支持する中空ベアリングを備え、
前記ディテクタは、前記被検査体を透過したＸ線がイオン化されたものを電気的信号に変換し、この変換された電気的信号を増幅してデジタル映像信号に変換し、
前記ディテクタから伝送された複数のデジタル映像信号をリコンストラクション（ｒｅｃｏｎｓｔｒｕｃｔｉｏｎ）した後、３次元検査を行うイメージ処理部を更に含み、
前記イメージ処理部は、リコンストラクションを行うために、少なくとも４つのＧＰＵコア（Ｇｒａｐｈｉｃｓ  Ｐｒｏｃｅｓｓｉｎｇ  Ｕｎｉｔ  Ｃｏｒｅ）を含み、
前記フラットケーブルは、前記中空軸の外側に螺旋方向に巻回配置され、前記中空軸を包み込むリング状のケーブル収容部材に収まり、前記ケーブル収容部材は、前記フラットケーブルの収まる面が平面であることを特徴とする自動Ｘ線検査装置。
【請求項２】
前記中空ベアリングは、クロスローラベアリングからなり、前記クロスローラベアリングの外輪はベアリングハウジングにクランピング（ｃｌａｍｐｉｎｇ）され、内輪は中空軸にクランピングされることを特徴とする請求項１に記載の自動Ｘ線検査装置。
【請求項３】
前記外輪及び内輪は、クランピングされる地点がそれぞれ少なくとも３地点であり、前記３地点は相互同一の角度に設定されることを特徴とする請求項２に記載の自動Ｘ線検査装置。
【請求項４】
前記ステージユニットは、電源を前記ステージユニットに伝送するために、前記ステージユニットと電気的に接続されて前記ステージユニットとともに回転するスリップリングと、
前記スリップリングに接触して電源を印加する給電ブラシと、を含むことを特徴とする請求項１に記載の自動Ｘ線検査装置。
【請求項５】
前記ステージユニットは、被検査体のＣＴ撮影のために、動力伝達部から駆動力が印加されて時計回りに３６０度回転した後、反時計回りに３６０度回転し、
前記ディテクタは、前記ステージユニットの時計回りへの回転時及び反時計回りへの回転時、それぞれ撮影を行うことを特徴とする請求項１に記載の自動Ｘ線検査装置。
【請求項６】
前記動力伝達部は、
駆動モータと、
前記駆動モータの駆動軸に結合される駆動プーリ（ｐｕｌｌｅｙ）と、
前記中空軸の下端に沿って結合される縦動プーリと、
前記ステージユニットの回転角度を検出するためのエンコーダと、
前記駆動プーリ、縦動プーリ及びエンコーダを連結するタイミングベルトと、を含むことを特徴とする請求項５に記載の自動Ｘ線検査装置。
【請求項７】
前記駆動モータは、少なくとも１８０°／秒の駆動速度で駆動するサーボモータ（ｓｅｒｖｏ  ｍｏｔｏｒ）であることを特徴とする請求項６に記載の自動Ｘ線検査装置。
【請求項８】
前記ディテクタは、前記エンコーダによって発生する信号に応じて、少なくとも１２０フレーム／秒でスキャニングすることを特徴とする請求項７に記載の自動Ｘ線検査装置。
【請求項９】
前記Ｘ線管は、前記ステージユニットと分離された状態を保持し、水平移動及び垂直移動することを特徴とする請求項１に記載の自動Ｘ線検査装置。
【発明の詳細な説明】
【技術分野】
【０００１】
本発明は、自動Ｘ線検査装置に関し、より詳細には、高精度を保持しつつ高速で撮影されたイメージを自動的に読み込み、基板に対する２次元及び３次元検査を行うことができるインライン自動Ｘ線検査装置に関する。
【背景技術】
【０００２】
一般に、携帯電話やデジタルカメラのような電子機器は、次第に小型化されつつある傾向にあり、それにより、各電子機器に適用される基板の実装も小型化及び高密度化されつつある。
【０００３】
このようなＳＭＴ（Ｓｕｒｆａｃｅ  Ｍｏｕｎｔ  Ｔｅｃｈｎｏｌｏｇｙ）分野において使用されるチップ部品としては、０４０２型（０．４ｍｍ×０．２ｍｍ）が登場しており、数百ピンの多ピンＢＧＡ（Ｂａｌｌ  Ｇｒｉｄ  Ａｒｒａｙ）やＣＳＰ（Ｃｈｉｐ  Ｓｃａｌｅ  Ｐａｃｋａｇｅ）の両面実装は一般化している傾向にある。このような傾向に伴い、はんだ接合面積（はんだボール直径）は小さくなりつつあり、鉛フリーはんだ化が進むにつれ、はんだ接合に対する接合強度等をきちんと検査する装備がなかったため、信頼性に対する不安が高まるようになった。
【０００４】
なお、ＢＧＡのようにパッケージ背面のはんだ接合部は、肉眼で見ることができず、インサーキット（Ｉｎ−Ｃｉｒｃｕｉｔ）テスタは高密度であってピンスペースがないため、使用することができない。
【０００５】
よって、上記のように、直接肉眼で確認することができない部分に対して、透過Ｘ線検査装備を通じての検査が必要であるとの声が上がっている。
【０００６】
ところが、製造ラインで全数検査をしなければならない場合、従来の透過Ｘ線検査装備は、専門の検査者が画面にディスプレイされる透過画像を肉眼で一々検査しなければならないため、検査者の熟練度によって、判定速度及び正確度にばらつきが生じ、接合不良の早期発見が困難であるため、市場で要求するレベルの品質保証を満たすには難しい問題があった。
【０００７】
このような問題を解消するために、作業者の肉眼検査を止揚し、撮影されたイメージを自動的に読み込むことができる自動Ｘ線検査（ＡＸＩ、Ａｕｔｏｍａｔｉｃ  Ｘ−ｒａｙ  Ｉｎｓｐｅｃｔｉｏｎ）装置が提案されるようになった。
【０００８】
このような従来の自動Ｘ線検査装置は、撮影されたイメージを通じて２次元イメージはもちろんのこと、３次元イメージを示すことで、基板の内部の欠陥（ｖｏｉｄ、ｃｒａｃｋ等）まで正確に読み込みできるように、Ｘ線管またはディテクタ（ｄｅｔｅｃｔｏｒ）が傾斜配置された状態で、基板の実装状態を断層撮影できるオブリック（ｏｂｌｉｑｕｅ）タイプが開発された。
【０００９】
しかしながら、このような従来の自動Ｘ線検査装置は、検査速度が遅くＳＭＴインライン（ｉｎ−ｌｉｎｅ）用に使用するのに適していないという問題があった。それは、イメージ処理速度と機構的な問題が複合的に作用するため生じる。
【００１０】
特に、機構的な問題の場合、例えば、Ｘ線管とステージとが一体として連結されるように組み立てられることにより、ステージとＸ線管を移動する際に、モータにかなりの負荷がかかるようになる。
【００１１】
更に、検査中に必要に応じて、垂直移動及び水平移動をしなければならないＸ線管にステージが一体として組み立てられているため、ステージが高速回転する際、振動が発生する等、安定的に支持できない構造により、ステージの回転精度が顕著に低下し、ステージの同心度が保持できないという問題があった。それは、被検査体の撮影に多大な障害となり、それによって、歪曲したイメージを形成するようになるため、信頼のおける検査を保障するうえで難点となっている。
【発明の概要】
【発明が解決しようとする課題】
【００１２】
そこで、本発明は、上記問題に鑑みてなされたものであり、本発明の目的とするところは、ＳＭＴインラインに適用できるように高精度で高速撮影されたイメージを自動的に読み込み、被検査体（基板の実装）の２次元及び３次元の検査を行うことができる自動Ｘ線検査装置を提供することにある。
【課題を解決するための手段】
【００１３】
上記目的を達成するために本発明は、被検査体を装着脱自在に支持し、平面上のＸ軸、Ｙ軸移動及び回転が可能なステージユニットと、前記ステージユニットの下側に配置されて前記ステージユニットにセッティングされた前記被検査体に向けてＸ線を照射するＸ線管と、前記ステージユニットの上側で片側へ旋回できるように配置され、前記被検査体を透過したＸ線を検出するディテクタとを含み、前記Ｘ線管は、前記ディテクタの旋回に対して同期旋回する一方で、前記Ｘ線管のＸ−ｒａｙ放出面が前記ステージユニットと平行に設定され、前記ステージユニットは中空軸を備え、前記中空軸を回転自在に支持する中空ベアリングを備えることを特徴とする自動Ｘ線検査装置を提供する。
【００１４】
前記ステージユニットは、電源を前記ステージユニットに伝送するためのケーブルを備え、前記ケーブルは、ケーブル間のねじれや干渉を防止することができるフラットケーブル（ｆｌａｔ  ｃａｂｌｅ）を提供することができる。この場合、前記フラットケーブルは、前記中空軸の外側に螺旋方向に巻回配置されてよい。
【００１５】
前記フラットケーブルは、前記中空軸を包み込むリング状のケーブル収容部材に収まり、前記ケーブル収容部材は、前記フラットケーブルの収まる面が平面に形成されてよい。
【００１６】
前記中空ベアリングは、クロスローラベアリングからなり、前記クロスローラベアリングの外輪はベアリングハウジングにクランピング（ｃｌａｍｐｉｎｇ）され、内輪は中空軸にクランピングされてよく、前記外輪及び内輪は、クランピングされる地点がそれぞれ少なくとも３地点であり、前記３地点は相互同一の角度に設定されてよい。
【００１７】
前記ステージユニットは、電源を前記ステージユニットに伝送するために、前記ステージユニットと電気的に接続されて前記ステージユニットとともに回転するスリップリングと、前記スリップリングに接触して電源を印加する給電ブラシとを含んでよい。
【００１８】
前記ステージユニットは、被検査体のＣＴ撮影のために、動力伝達部から駆動力が印加されて時計回りに３６０度回転した後、反時計回りに３６０度回転し、前記ディテクタは、前記ステージユニットの時計回りへの回転時及び反時計回りへの回転時、それぞれ撮影を行ってよい。
【００１９】
前記動力伝達部は、駆動モータと、前記駆動モータの駆動軸に結合される駆動プーリ（ｐｕｌｌｅｙ）と、前記中空軸の下端に沿って結合される縦動プーリと、前記ステージユニットの回転角度を検出するためのエンコーダと、前記駆動プーリ、前記縦動プーリ及びエンコーダを連結するタイミングベルトとを含んでよい。
【００２０】
前記駆動モータは、少なくとも１８０°／秒の駆動速度で駆動されるサーボモータ（ｓｅｒｖｏ  ｍｏｔｏｒ）を適用してよい。
【００２１】
前記ディテクタは、前記エンコーダによって発生する信号に応じて、少なくとも１２０フレーム／秒でスキャニングしてよい。
【００２２】
前記Ｘ線管は、前記ステージユニットと分離された状態を保持し、水平移動及び垂直移動してよい。
【００２３】
本発明は、前記ディテクタが、前記被検査体を透過したＸ線がイオン化されたものを電気的信号に変換し、この変換された電気的信号を増幅してデジタル映像信号に変換し、前記ディテクタから伝送された複数のデジタル映像信号を高速リコンストラクション（ｒｅｃｏｎｓｔｒｕｃｔｉｏｎ）した後、３次元検査を行うイメージ処理部を更に含むことが望ましい。この場合、前記イメージ処理部は、高速リコンストラクションを行うために、少なくとも４つのＧＰＵコア（Ｇｒａｐｈｉｃｓ  Ｐｒｏｃｅｓｓｉｎｇ  Ｕｎｉｔ  Ｃｏｒｅ）を含んでよい。
【発明の効果】
【００２４】
以上説明したように、本発明によれば、ステージユニットの高速回転時に回転精度を保持させつつ、従来解像度の２倍となるイメージを撮影することができ、ステージユニットの時計回り及び反時計回りへの回転時に双方向撮影が可能となるため、検査速度を大きく向上させることができ、複数のＧＰＵコアを使用して高速処理が可能となることから、ＳＭＴインライン用に適用することができるという利点がある。
【００２５】
なお、本発明は中空ベアリングを使って、この中空ベアリングの変形を最小限化できるように、少なくとも３点以上の同一角度に配置されたクランピング地点を設定し、ステージユニットの回転軸に対する同心度を保持することができ、フラットケーブルを使用したりスリップリングと給電ブラシとを備えることで、ステージユニットの回転に対しての干渉を最小化することができる。
【図面の簡単な説明】
【００２６】
【図１】本発明の一実施形態に係るＳＭＴインライン自動Ｘ線検査装置を示す正面図である。
【図２】図１に示すステージユニット及びＸ線管を示す拡大図である。
【図３】本発明の一実施形態に係るＳＭＴインライン自動Ｘ線検査装置を示す側面図である。
【図４】図１に示すＸ線管とディテクタの同期移動を示す概略図である。
【図５】ステージユニットの動力伝達部を示す平面図である。
【図６】ステージユニットの動力伝達部を示す側面図である。
【図７】ステージユニットのベアリング構造を示す平面図である。
【図８】ステージユニットのベアリング構造を示す側面図である。
【図９】ステージユニットが回転する前のフラットケーブルの配置を示す平面図である。
【図１０】ステージユニットが回転する前のフラットケーブルの配置を示す側面図である。
【図１１】ステージユニットが３６０度回転した後のフラットケーブルの配置を示す平面図である。
【図１２】ステージユニットが３６０度回転した後のフラットケーブルの配置を示す側面図である。
【図１３】スリップリング及び給電ブラシを用いてステージユニットに電源を供給する例を示す平面図である。
【図１４】スリップリング及び給電ブラシを用いてステージユニットに電源を供給する例を示す側面図である。
【発明を実施するための形態】
【００２７】
以下に添付図面を参照しながら、本発明の一実施形態に係るＳＭＴインライン自動Ｘ線検査装置について詳細に説明する。ただし、本発明を説明していくうえで、本発明に関連する公知技術に対する具体的な説明が、本発明の要旨を不要に曖昧にするおそれがあると判断される場合には、その詳細な説明及び具体的な図示を省略する。
【００２８】
図１ないし図３を参照すると、本実施形態のＳＭＴインライン自動Ｘ線検査装置は、２次元及び３次元検査を兼ねることができる検査装置として、Ｘ線管１０、ディテクタ３０と、ステージユニット５０及びイメージ処理部７０を含む。
【００２９】
Ｘ線管１０の管内のフィラメントから熱放出された電子を、タングステン、モリブデン、銅等の金属の間で高電圧で加速させ、加速された電子を金属ターゲットに追突させてＸ線（Ｘ−ｒａｙ）を発生させる。
【００３０】
前記Ｘ線管１０は、ステージユニット５０の下側に垂直に配置され、常にＸ線管１０の上端のＸ線放射面１０ａがステージユニット５０と平行に配置される（図４を参照）。
【００３１】
このようなＸ線管１０は、垂直移動及び水平移動ができるように設置され、このような移動は、第１サポータ１１及び第２サポータ１３の駆動によって行われる。
【００３２】
第１サポータ１１は、Ｘ線管１０の片側に固定設置され、第２サポータ１３の垂直ガイドレール１５にスライド自在に結合される。なお、第２サポート１３は、第３サポータ１７の水平ガイドレール１９にスライド自在に結合される。この場合、水平ガイドレール１９は、ディテクタ３０の旋回方向に対応する直線方向、すなわち、Ｘ軸方向に沿って配置され、Ｘ線管１０がディテクタ３０の旋回に沿って同期移動が可能である。
【００３３】
このように、本発明は、Ｘ線管１０が、ステージユニット５０と完全に分離された状態で駆動することにより、Ｘ線管１０の移動時に、従来技術に比べてモータに多くの負荷がかからないため、少ない駆動力でＸ線管１０を円滑に移動させることができる。
【００３４】
ディテクタ（ｄｅｔｅｃｔｏｒ）３０は、被検査体である基板の各実装部品を透過したＸ線がイオン化されたものを電気的信号に変換し、この変換された電気的信号を増幅してデジタル映像信号に変換する。
【００３５】
前記ディテクタ３０は、ステージユニット５０の上側に所定間隔を置いて配置され、一方向に所定角度（θ）で旋回自在に設置される。この場合、ディテクタ３０は、第４サポータ３１が片側に固定結合され、第４サポータ３１は、第５サポータ３３のガイドレール３５にスライド自在に結合される。第５サポータ３３は、上部ガイド板３７に形成された曲線ガイド溝３９に沿ってスライド移動自在に結合される。
【００３６】
図４を参照すると、前記ディテクタ３０は、初期状態でディテクタ３０の中心がＸ線管のＸ線放射面１０ａの中心と一致するように垂直に配置される。なお、ディテクタ３０は、断層撮影の際、所定角度分だけ旋回移動し、Ｘ線管１０もディテクタ３０の旋回に沿って同期移動する。このとき、ディテクタ３０の旋回中心位置は、ステージユニットの高さに対応する位置に設定され、同期移動したＸ線管１０の放射面１０ａはステージユニット５０と平行に保持される。
【００３７】
ステージユニット５０は、被検査体支持部材５０ａと、中空軸５４と、中空ベアリング５５と、駆動モータ５７と、動力伝達部及びケーブル収容部材６０を含む。
【００３８】
被検査体支持部材５０ａは、通常のクランピングユニットを介して被検査体である基板を装着脱自在に支持する。被検査体支持部材５０ａは、内側にＸ線が通過できるように、この空間が形成される。前記被検査体支持部材５０ａは、平面上でＸ軸及びＹ軸方向に直線移動する。
【００３９】
このような被検査体支持部材５０ａのＸ軸及びＹ軸移動のために、ステージユニット５０は第１及び第２支持フレーム５１、５２を備える。この場合、被検査体支持部材５０ａは、第１支持フレーム５１上のＸ軸方向ガイドレール５１ａにスライド自在に結合され、第１支持フレーム５１は、第２支持フレーム５２上のＹ軸方向ガイドレール５２ａにスライド自在に結合される。前記被検査体支持部材５０ａ及び第１支持フレーム５１は、それぞれ駆動モータＭ１、Ｍ２から駆動力を伝達される。
【００４０】
中空軸５４は、第２支持フレーム５２の下端に結合され、中空軸５４の外周を包み込む中空ベアリング５５によって回転自在に支持される。
【００４１】
図７及び図８を参照すると、中空ベアリング５５は、外周を包み込むベアリングハウジング５６によって支持される。このような中空ベアリング５５は、内輪５５ａ、外輪５５ｂ及び内／外輪５５ａ、５５ｂの間に配置されるローラ５５ｃを備えるクロスローラベアリング（ｃｒｏｓｓ  ｒｏｌｌｅｒ  ｂｅａｒｉｎｇ）を使用することが望ましい。
【００４２】
この場合、内／外輪５５ａ、５５ｂは、それぞれ中空軸５４及びベアリングハウジング５６にそれぞれ固定設置された複数の第１及び第２クランプＣ１、Ｃ２によって固定される。これにより、内輪５５ａは、中空軸５４に固定されて中空軸５４とともに回転し、外輪５５ｂは、ベアリングハウジング５６に固定されて回転しない。
【００４３】
前記内輪５５ａをクランピングする複数の第１クランプＣ１は、それぞれ同一の間隔で配列され、同様に、外輪５５ｂをクランピングする複数の第２クランプＣ２も、それぞれ同一の間隔で配列される。本実施形態では、第１及び第２クランプＣ１、Ｃ２をそれぞれ６つずつ使用したが、それに限定されずに、第１及び第２クランプＣ１、Ｃ２をそれぞれ少なくとも３つ以上使用すれば十分である。ただ、使用される複数の第１及び第２クランプＣ１、Ｃ２は、それぞれ同一の角度で配置されることが望ましい。
【００４４】
このように、中空ベアリング５５の内／外輪５５ａ、５５ｂを所定の位置で点支持することで、中空ベアリング５５に加わる変形を最小限化できるようになるため、ステージユニット５０の回転精度を確保することができる。
【００４５】
前記ベアリングハウジング５６は、水平に配置される台Ｄの上面に固定設置される。この場合、台Ｄは、複数の垂直フレームＦによって支持され、床面から所定の高さに位置する。好適には、台Ｄの高さは、Ｘ線管１０の移動範囲を考慮して適した高さに設定する。
【００４６】
図５及び図６を参照すると、駆動モータ５７は、動力伝達部を介してステージユニット５０を時計回り及び反時計回りに交互に３６０°回転させる一方、駆動速度が少なくとも１８０°／秒以上の高速サーボモータを使用することが望ましい。
【００４７】
前記駆動モータ５７は、支持部材５７ｂによって複数の垂直フレームＦのうちの何れか１つに固定設置され、駆動モータ５７の回転軸（図示せず）には、タイミングベルト５８ｄと連結される駆動プーリ５７ａが結合される。
【００４８】
この場合、タイミングベルト５８ｄは、中空軸５４の下端に沿って連結される縦動プーリ５９とステージユニット５０の回転角度を検出するためのエンコーダ５８ａに連結される。このとき、タイミングベルト５８ｄは、少なくとも一対のベルト張力調節部５８ｂ、５８ｃに一部が加圧されることで、適したベルト張力を保持することができる。
【００４９】
前記エンコーダ５８ａは、ステージユニット５０が１．５°回転するごとに信号を発生させ、この信号によってディテクタ５０は回転している被検査体を１２０フレーム／秒でスキャニングする。それにより、高速撮影を通じて従来に比べて多くのプロジェクション（ｐｒｏｊｅｃｔｉｏｎ）を獲得することができ、より精密かつ豊富な映像品質を得ることができる。よって、ディテクタ５０は、基板実装の一部分に対して時計回りに３６０°回転時に２４０フレームを撮影し、次に撮影する基板実装の他部分にＸ軸及びＹ軸を移動した後、被検査体が反時計回りに元の位置に３６０°回転する際、２４０フレームを撮影することができる。
【００５０】
本実施形態では、ディテクタ５０のスキャニング速度を１２０フレーム／秒を一例として説明しているが、それに限定されず、少なくとも１２０フレーム／秒以上のスキャニング速度が実現できるディテクタであれば十分である。
【００５１】
それに関連し、従来には被検査体を０°から３６０°の時計回りに回転する際に撮影が行われ、再び元の位置に回転する場合、すなわち、反時計回りに３６０°回転する間には、撮影が行われないため、その回転時間分だけ損失（ｌｏｓｓ）が発生する。
【００５２】
このように、従来技術は、片方向撮影のみが可能な構造である一方で、本発明は両方向（時計回り及び反時計回り）に撮影が可能であるため、生産性の向上を期待することができる。
【００５３】
なお、前記台Ｄには、ケーブル収容部材６０が固定設定され、このケーブル収容部材６０はベアリングハウジング５６を包むように配置される。前記ケーブル収容部材６０には、フラットケーブル６５が可動に収まるリング状の収容空間６１が形成され、中央にはベアリングハウジング５６が挿入される貫通孔６３が形成される。この場合、収容空間６１の床面は平面で形成され、フラットケーブル６５は中空軸５４に隣接する一端６７がケーブル収容部材６０に固定される。
【００５４】
図９ないし図１２を参照すると、フラットケーブル（ｆｌａｔ  ｃａｂｌｅ）６５はケーブル間のねじれや干渉を防止することができるように、ケーブル収容部材６０の収容空間６１に沿って螺旋方向に巻回配置される。
【００５５】
このようなフラットケーブル６５の螺旋方向における巻回配置は、ステージユニット５０が時計回りに回転（図１１及び図１２を参照）及び反時計回りに回転（図９及び図１０を参照）することで、収容空間６１内で動く際、収容空間６１の床面と接触面積を最小化し、摩擦力を軽減することができる。それにより、フラットケーブル６５によって発生し得るステージユニット５０の回転干渉要因を最小限化することにより、ステージユニット５０が高速回転時に回転精度を保持することができる。
【００５６】
上記では、ステージユニット５０がフラットケーブル６５を通じて電源が印加される例を説明するが、それに限定されることなく、フラットケーブル６５を省略することができる。すなわち、図１３及び図１４を参照すると、ステージユニット５０とともに回転するスリップリング８１を備え、前記スリップリング８１の一面に形成された円形導電パターン（図示せず）に複数の接触ピン８５を接触させてスリップリング８１に電気を印加する給電ブラシ８３を備えることで、フラットケーブル６５を省略することができる。
【００５７】
この場合、フラットケーブル６５を省略することができるため、ステージユニット５０が高速回転時に回転精度を低下させるおそれのある要因を最小限化することができる。
【００５８】
イメージ処理部７０は、ディテクタ５０によって撮影されたプロジェクションを少なくとも４つのＧＰＵコア（Ｇｒａｐｈｉｃｓ  Ｐｒｏｃｅｓｓｉｎｇ  Ｕｎｉｔ  Ｃｏｒｅ）を通じて、高速リコンストラクション（ｒｅｃｏｎｓｔｒｕｃｔｉｏｎ）することで、被検査体の一箇所当り略３秒台で３次元検査時間を縮めることができるため、ＳＭＴインライン用に使用することができる。
【００５９】
なお、本発明の場合、ステージユニット５０の回転軸に対する同心度が高品質映像を得るうえで大きな影響が及ぼす。特に、機構的な問題により、同心度に偏差が発生することがあるが、前記イメージ処理部７０は、このような機構的に発生する偏差を自動的に補正する。このような自動補正は、ソフトウェア的に行われ、ステージユニット５０の回転中心に唯一性を有するパターンを登録し、３６０°に回転する際、毎１．５°ごとに発生する公差オフセット（ｏｆｆｓｅｔ）を探し出して、リコンストラクションと同時に補正が行われる。
【００６０】
一方、通常のＸ線検査装置は、Ｘ線電圧／電流がオフ（ｏｆｆ）された後、設備稼働のために、線をオン（ｏｎ）にすると、電圧／電流及びターゲットの温度が安定化するのに一定の時間が必要であり、それは、ターゲットの温度が上がる段階に応じて、Ｘ線を通じて獲得された映像の焦点（Ｆｏｃｕｓ）が変わる現象として現れる。本発明は、リアルタイムで映像の焦点を探し当てるＡＴＦ（Ａｕｔｏ  Ｔｕｂｅ  Ｆｏｃｕｓ）機能を施すことで、前記安定化にかかる時間を省くと同時に、生産性を向上させることができる。
【００６１】
更に、従来のオブリックＣＴ（Ｏｂｌｉｑｕｅ  ＣＴ）の場合、Ｘ線照射角問題と、製品との距離を接近させて幾何学的倍率を高めるために、オープンタイプのＸ線管を使用するが、本発明の場合、クロスタイプのＸ線管を使用して真空管の体積を減らし、原価削減と同時に機構の構成をシンプルに実現することができる。この場合、本発明は、片側６０度の照射角を有するワイドアングルクロスチューブ（Ｗｉｄｅ  Ａｎｇｌｅ  Ｃｌｏｓｅ  Ｔｕｂｅ）を適用して上述のＸ線照射角の問題を解消することができる。
【００６２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【産業上の利用可能性】
【００６３】
本発明は、インライン自動Ｘ線検査装置に関し、半導体チップ等の電子部品の非破壊検査分野に適用可能である。
【図４】
0005911972.tif 000002
【図７】
0005911972.tif 000003
【図９】
0005911972.tif 000004
【図１０】
0005911972.tif 000005
【図１１】
0005911972.tif 000006
【図１２】
0005911972.tif 000007
【図１】
0005911972.tif 000008
【図２】
0005911972.tif 000009
【図３】
0005911972.tif 000010
【図５】
0005911972.tif 000011
【図６】
0005911972.tif 000012
【図８】
0005911972.tif 000013
【図１３】
0005911972.tif 000014
【図１４】
0005911972.tif 000015